【手続補正書】
【提出日】平成17年8月1日(2005.8.1)
【手続補正１】
【補正対象書類名】明細書
【補正対象項目名】００１２
【補正方法】変更
【補正の内容】
【００１２】
ＩＮ・cos(wt)
=zi・cos(wt)・cos(wat)+zq・sin(wt)・cos(wat)
=zi・[cos{(w-wa)t}+cos{(w+wa)t}]/2
+zq・[sin{(w+wa)t}+sin{(w-wa)t}]/2 …(3)
式(3)から低周波成分だけを取り出して、ｘｉとする。すなわち、
ｘｉ=zi/2・cos{(w-wa)t}+zq/2・sin{(w-wa)t} …(4)
また、受信側では、式(5)のように入力信号ＩＮにサイン信号sin(wt)を掛ける。
【手続補正２】
【補正対象書類名】明細書
【補正対象項目名】００２２
【補正方法】変更
【補正の内容】
【００２２】
誤差検出回路７及び係数更新回路８の動作については、例えば「Jablon N.K.,"Joint Blind Equalization,Carrier Recovery,and Timing Recovery for High-Order QAM Signal Constellations,"IEEE Transactions on Signal Processing,Vol.40,No.6,pp1383-1398,June 1992」（文献１）に開示されている。文献１によると、まず、係数更新回路８が計算する各タップの係数Ｃ0〜ＣL-1については、
Ｃh(n+1)＝Ｃh(n)−ｕ・ｅ(n)・ｘ(n-h)…(8)
で求められる。式(8)においてhは０〜Ｌ−１のいずれかである。ｕは、出力信号ｙ(n)の収束を保証する定数である。なお、式(8)で表される係数更新方式は最小二乗誤差（ＬＭＳ：Least Mean Square error）法と呼ばれる。
【手続補正３】
【補正対象書類名】明細書
【補正対象項目名】００２４
【補正方法】変更
【補正の内容】
【００２４】
文献２によると、例えば、キャリア周波数誤差検出回路５は図１７になる。まず、パワー演算回路９は出力信号ｙ(n)の電力、つまり、√（ｙｉ2＋ｙｑ2）を計算する。次に、出力判定結果推測回路１０は、ｎ番目のシンボル周期ＳＰより前のいくつかの信号ｙ(m)の中から、ｙａ(n)（出力信号ｙ(n)から周波数選択性フェージング等による歪みを受けなければ得られたであろうと推定される理想的な出力信号ｙ(n)）であろうと推測されるものを最大で４つ、信号Ｐ１〜Ｐ４として選び出す。次に、位相角演算回路１１は出力信号ｙ(n)と信号Ｐ１〜Ｐ４の各々との位相角Ｅ１〜Ｅ４を求める。以上の動作を、例えばｎ番目，ｎ＋１番目，ｎ＋２番目の出力信号ｙ(n)，ｙ(n+1)，ｙ(n+2)に対して行うことで、ｎ番目，ｎ＋１番目，ｎ＋２番目における位相角Ｅ１〜Ｅ４が得られる。位相誤差選択回路１２は、３組の位相角Ｅ１〜Ｅ４の中から、値が同じ位相角を一つ選び出して、それを実際のシンボルＳの回転角度とする。位相誤差選択回路１２は、シンボルＳの回転角度に基づいてキャリア周波数誤差の検出結果Ｒ１を求めて出力する。
【手続補正４】
【補正対象書類名】明細書
【補正対象項目名】００５０
【補正方法】変更
【補正の内容】
【００５０】
次に、適応等化器４ａを図３を用いて説明する。適応等化器４ａは誤差検出回路７ａ以外、図１６と同様である。つまり、適応等化器４ａは、誤差検出回路７ａの他に、中心的な要素の離散型フィルタ６及び係数更新回路８を含む。離散型フィルタ６は、シフトレジスタＳＲ0〜ＳＲL-1、乗算器Ｍ0〜ＭL-1、加算器Ａ1〜ＡL-1を含む。離散型フィルタ６は入力信号ｘ(n)から周波数選択性フェージングによる歪みを除去し、この歪みを除去した入力信号ｘ(n)を出力信号ｙ(n)として出力する。シフトレジスタＳＲ0〜ＳＲL-1は入力信号ｘ(n)を遅延量Ｚ-1だけ遅延させる。次に、乗算器Ｍ0〜ＭL-1は、シフトレジスタＳＲ0〜ＳＲL-1の各々の出力ノード（「タップ」と称される）の信号と係数Ｃ0〜ＣL-1との乗算を行う。次に、加算器Ａ1〜ＡL-1は、乗算器Ｍ0〜ＭL-1の乗算結果を足し合わせる。乗算器Ｍ0〜ＭL-1の乗算結果を足し合わせたものが出力信号ｙ(n)である。誤差検出回路７ａは、出力信号ｙ(n)から歪み誤差ｅ(n)を検出する。次に、係数更新回路８は、歪み誤差ｅ(n)及び入力信号ｘ(n)を基に、係数Ｃ0〜ＣL-1を計算して更新する。すなわち、誤差検出回路７ａ及び係数更新回路８は離散型フィルタ６をフィードバック制御する。
【手続補正５】
【補正対象書類名】明細書
【補正対象項目名】００６０
【補正方法】変更
【補正の内容】
【００６０】
図６のように、時刻ｔａでは一時的に、絶対値ａのピーク（図の上側のピーク）が基準値ｂを下回るが、時間が経つにつれて、時刻ｔｂ，ｔｃ，ｔｄでは、絶対値ａのピークが連続して基準値ｂを下回るようになる。したがって、図２の比較器１６は、例えばシンボル周期で絶対値ａをサンプリングし、サンプリングした絶対値ａが例えば３回連続して基準値ｂを下回れば、条件（Ａ）が満たされたと判定し、検出結果フラグβを立てる。
【手続補正６】
【補正対象書類名】明細書
【補正対象項目名】００６１
【補正方法】変更
【補正の内容】
【００６１】
あるいは、図７に示すように、キャリア周波数誤差量比較回路１３は、ｎ番目のシンボル周期ＳＰの絶対値ａとｎ＋１番目のシンボル周期ＳＰの絶対値ａとの差ｃを生成するための差分器１５ａをさらに含んでもよい。この場合、差ｃは絶対値ａの変化量を示す。よって、図７の比較器１６は、絶対値ａの変化量が例えば３回連続して図７の回路用に設定された基準値ｂの範囲内であれば、条件（Ａ）が満たされたと判定し、検出結果フラグβを立てることになる。なお、差分器１５ａはｎ番目のシンボル周期ＳＰの絶対値ａを保持するためのＤラッチ１５１、Ｄラッチ１５１に保持されているｎ番目のシンボル周期ＳＰの絶対値ａとｎ＋１番目のシンボル周期ＳＰの絶対値ａとの差ｃを生成するための減算器１５２とを含む。
【手続補正７】
【補正対象書類名】明細書
【補正対象項目名】００６２
【補正方法】変更
【補正の内容】
【００６２】
発明の背景によれば、条件（Ａ）が満たされていることをキャリア周波数誤差量比較回路１３が確認すると同時に、ＣＭＡ法からＤＤ法へ自動的に切り替わる。これによって、一定時間後にＣＭＡ法からＤＤ法に切り換える従来と比較して、確実、かつ、より短い時間で理想的な出力信号ｙ(n)が得られる。
【手続補正８】
【補正対象書類名】明細書
【補正対象項目名】００６７
【補正方法】変更
【補正の内容】
【００６７】
次に、キャリア周波数誤差除去回路３、適応等化器４ａ、キャリア周波数誤差検出回路５及び回転検出回路１９の全体の動作について、図５を用いて説明する。
【手続補正９】
【補正対象書類名】明細書
【補正対象項目名】図２
【補正方法】変更
【補正の内容】
【図２】  本発明の背景のキャリア周波数誤差量比較回路の例を示すブロック図である。
【手続補正１０】
【補正対象書類名】明細書
【補正対象項目名】図７
【補正方法】変更
【補正の内容】
【図７】  本発明の背景のキャリア周波数誤差量比較回路の例を示すブロック図である。
【手続補正１１】
【補正対象書類名】明細書
【補正対象項目名】図１１
【補正方法】変更
【補正の内容】
【図１１】  本発明の実施の形態１の回転検出回路の例を示すブロック図である。